(57)【要約】【課題】  熱耐久性に優れ、切断される血管等の生体組織の止血性が向上する生体組織切断用器具の提供。【解決手段】  本発明の生体組織切断用器具は、カッタ本体と、該カッタ本体の一面に配設される印加電極と、前記カッタ本体の他面に配設される帰還電極と、前記印加電極と前記帰還電極の間において、前記カッタ本体に配設される耐熱部材と、を具備し、前記耐熱部材は、前記生体組織が接触する前記印加電極の部分を囲むように形成された溝部を有する。【選択図】図２２
2006087610.tif 000002
【特許請求の範囲】
【請求項１】
生体組織を切断する生体組織切断用器具であって、
絶縁部材からなるカッタ本体と、
該カッタ本体の一面に配設される印加電極と、
前記カッタ本体の他面に配設される帰還電極と、
前記印加電極と前記帰還電極の間において、前記カッタ本体に配設される耐熱部材と、
を具備し、
前記耐熱部材は、前記生体組織が接触する前記印加電極の部分を囲むように形成された溝部を有することを特徴とする生体組織切断用器具。
【請求項２】
前記溝部は、前記耐熱部材の前記印加電極が接触する面に形成されていることを特徴とする請求項１に記載の生体組織切断用器具。
【発明の詳細な説明】
【技術分野】
【０００１】
本発明は、内視鏡の観察下に皮下血管を牽引して採取するための生体組織切断用器具に関する。
【背景技術】
【０００２】
近年、心臓の血管のバイパス手術において、バイパス用血管として、患者自身の大伏在静脈等である下肢の血管を用いることがある。この下肢の血管を内視鏡の観察下によって採取するための生体採取装置が、例えば特許文献１に提案されている。
【０００３】
この生体採取装置は、ダイセクタ、ハーベスタなどの器具から構成されている。ダイセクタ及びハーベスタには、内視鏡が挿通できるようになっており、術者は、その内視鏡画像を見ながら、血管の採取を行うことができる。ダイセクタは、患者の膝下近傍の切開部にセットされる案内管であるトロッカより挿入され、採取する血管の全長に渡って挿入されることにより、血管とその周辺組織を除々に剥離するための器具である。また、ハーベスタは、ダイセクタによって周辺組織から剥離された血管の側枝を電気的に切断するためのバイポーラカッタを有する器具である。
【０００４】
このバイポーラカッタは、先端部に溝が形成され、この溝を上下に挟むように一対の電極が配設される。バイポーラカッタが前進され、先端部の溝に入り込んだ側枝は、これら２つの電極間で放電が起こることによって止血しながら切断される。また、バイポーラカッタは、カッタ本体が透明部材であるポリカーボネイトなどの合成樹脂又はセラミックスによって形成されている。
【特許文献１】特開２００４−００８２４１号公報
【発明の開示】
【発明が解決しようとする課題】
【０００５】
しかしながら、上述のしたように、特許文献１に記載のバイポーラカッタは、カッタ本体の全体が合成樹脂によって形成されている場合、２つの電極間の放電によって生じる熱により、耐久性を若干損なう可能性がある。その一方、カッタ本体がセラミックスにより形成されていると、合成樹脂に比して製造コストが高く加工性に劣るという問題もある。
【０００６】
また、バイポーラカッタは、一方の印加側の電極から他方の帰還側の電極へ高周波電流の放電による熱的作用により生体組織を切断する。そのため、バイポーラカッタは、全体をセラミックスに形成しなくとも、一対の電極間のみ、特に印加側の電極と接する部分をセラミックスによって形成することによって、熱のために耐久性を損なう可能性を抑えることができる。すなわち、バイポーラカッタは、大部分となるカッタ本体を安価で加工性の良い合成樹脂によって形成され、一対の電極間にセラミックス部材を設ける構成とすることが好ましい。
【０００７】
ところが、セラミックスは、ポリカーボネイトなどの合成樹脂よりも熱伝導率が高い。そのため、バイポーラカッタは、一対の電極間において放電される高周波電流による印加電極及び被切断生体組織に発生する熱量がセラミックスにより形成される部材の広範囲に渡って伝達されてしまう。その結果、被切断生体組織は、その切断時に消費熱量が減少していまい止血性が低下するという問題がある。
【０００８】
そこで、本発明は、上記事情に鑑みてなされたものであり、熱耐久性に優れ、切断される血管等の生体組織の止血性が向上する生体組織切断用器具を提供することを目的としている。
【課題を解決するための手段】
【０００９】
上記目的を達成するため、本発明の生体組織切断用器具は、カッタ本体と、該カッタ本体の一面に配設される印加電極と、前記カッタ本体の他面に配設される帰還電極と、前記印加電極と前記帰還電極の間において、前記カッタ本体に配設される耐熱部材と、を具備し、前記耐熱部材は、前記生体組織が接触する前記印加電極の部分を囲むように形成された溝部を有する。
【発明の効果】
【００１０】
本発明によれば、熱耐久性に優れ、切断される血管等の生体組織の止血性が向上する生体組織切断用器具を実現することができる。
【発明を実施するための最良の形態】
【００１１】
（第１の実施の形態）
以下、図面を参照して本発明の実施の形態を説明する。  
第１の実施の形態において、生体採取手術システムを使った血管採取手術方法、生体採取手術システムの構成及び本発明の生体組織切断用器具であるハーベスタの順に説明する。
【００１２】
先ず、生体採取装置を使った採取対象組織である静脈摘出手術方法について、図１から図６を用いて、血管の採取の手術の方法を説明する。  
図１は、皮下血管を牽引して採取する手術方法を説明するためのフローチャートである。図２から図６は、その手術方法を説明するための図である。図１に従って、図２から図６を用いて、血管の採取の手術の方法を説明する。
【００１３】
心臓のバイパス手術において、下肢の採取対象組織である血管がバイパス血管用に利用される。そのバイパス用に用いられる、採取対象血管である下肢の大腿部から足首に亘る大伏在静脈（以下、単に、血管ともいう）を全長に亘って採取する場合について説明する。なお、その採取に用いられる器具である、ダイセクタ３１、トロッカ２１、ハーベスタ４１の詳細な構成は、後述する。さらに、ダイセクタ３１とハーベスタ４１には、内視鏡が挿通できるようになっており、術者は、その内視鏡画像を見ながら、血管の採取を行うことができる。内視鏡は、後述する図７に示す硬性内視鏡５１であり、接眼部に接続されたテレビカメラヘッドを介して、テレビモニタ１０２に接続され、テレビモニタ１０２の画面上に内視鏡画像が表示される。硬性鏡の先端部からは照明光が照射され、皮下の組織、血管１１を照明することができる。
【００１４】
図２に示すように、採取対象血管１１は、下肢１２の鼠径部１３と、足首１４との間に存在する。採取する血管１１は、例えば６０ｃｍの長さであるとする。
【００１５】
まず、術者は、その血管１１の位置を特定する（ステップ（以下、Ｓと略す）１）。血管１１の位置は、術者の触感によって、あるいはソナーなどの機器を用いて、特定する。次に、その血管１１の管の方向に略沿って、特定した血管１１の直上であって、膝１５の少し下に、術者は、メス等によって一箇所、例えば切り口の長さが２．５ｃｍの皮切部１６を設ける（Ｓ２）。続いて、皮切部１６において、その血管１１を露出させ、血管１１の周辺の組織を剥離する（Ｓ３）。
【００１６】
次に、ダイセクタ３１を用いて血管１１の全長にわたって周辺の組織の剥離が行われる（Ｓ４）。具体的には、術者は、皮切部１６にトロッカ２１をセットし、ダイセクタ３１を、トロッカ２１の案内管部２２に通して、内視鏡画像を見ながら、皮切部１６から鼠径部１３の方向（矢印Ａ１で示す）に徐々に挿入して、血管１１を周辺の組織から鈍的に剥離していく。内視鏡画像は、術者が血管１１に沿って周辺組織を剥離していくために、術者にとって必要なものである。
【００１７】
血管１１の周辺組織を剥離するとき、例えば、血管１１に対して皮膚表面方向を上とすれば、術者は、血管１１の上下方向を剥離し、さらに左右方向を剥離することによって、血管１１の全周に渡って周辺組織を完全に剥離することができる。血管１１の全周に渡って剥離することによって、血管１１の側枝が内視鏡画像において良く見えるようになる。
【００１８】
鼠径部１３の方向における、血管１１の周辺組織からの剥離が終わると、ダイセクタ３１をトロッカ２１から引き抜く。次に、皮切部１６のトロッカの向きを変え、皮切部１６から、ダイセクタを、足首１４の方向に（矢印Ａ２で示す）徐々に挿入して、内視鏡画像を見ながら、血管１１を周辺の組織からの剥離を行う。
【００１９】
図３は、ダイセクタが、鼠径部１３方向に皮切部１６からトロッカ２１を介して下肢１２の皮下へ挿入された状態を示す断面図である。トロッカ２１は、ダイセクタ３１の挿入部３２を挿通させるための筒状の案内管部２２と、シール部２３と、皮膚に固定するための固定部２４とからなる。トロッカ２１を皮切部１６にセットするときは、案内管部２２を、皮切部１６から鼠径部方向に挿入し、固定部２４によって皮膚に固定する。ダイセクタ３１の挿入部３２は、固定部２４によって皮切部１６に固定されたトロッカ２１の案内管部２２を通して、下肢１２の皮下に挿入されている。後述するように、挿入部３２の中には、内視鏡挿入部が挿入されている。ダイセクタ３１の挿入方向は、血管１１の方向に沿っているので、術者は、内視鏡画像を見ながら、血管１１の周辺の組織を血管１１から剥離するように徐々に挿入していく。すなわち、その挿入は、皮切部１６から血管１１に沿っていきなり鼠径部１３の下まで行われない。ダイセクタ３１を挿入方向に沿って進退させながら、徐々に鼠径部１３までの血管１１と、足首１４までの血管１１の剥離が行われる。
【００２０】
このとき、ダイセクタ３１に設けられた送気コネクタにより、所定の気体、例えば、二酸化炭素ガスが、ダイセクタ３１の把持部３３に接続された送気チューブ３４から送り込まれ、挿入部３２の先端部に設けられた開口部３５ａから噴き出る。従って、血管１１が周辺の組織から剥離されると共に、所定の気体、例えば、二酸化炭素ガスが剥離した組織と血管の間に介在するようになるので、内視鏡の術野が広がって、視認性が良くなり、術者は、剥離作業がし易くなる。
【００２１】
次に、ダイセクタ３１を、トロッカ２１から抜き取り、トロッカ２１はそのままにして、ハーベスタ４１（図５参照）を挿入して、皮切部１６から足首１４までの間の血管１１の側枝の切断が行われる（Ｓ５）。
【００２２】
なお、側枝１１Ａの切断は、ハーベスタ４１を皮切部１６からまず足首１４の下まで挿入して、足首１４から皮切部１６に向かって、血管１１の側枝１１Ａを１本ずつ切断していく。
【００２３】
その側枝１１Ａの切断は、ハーベスタ４１の挿入部４２の先端部に設けられた電気メスであるバイポーラカッタ４３によって行われる。バイポーラカッタ４３によって切断された側枝１１Ａは、切断部は、略止血された状態となる。ハーベスタ４１を用いて、足首１４までの間の血管１１の側枝１１Ａの全てが切られる。
【００２４】
ハーベスタ４１の構成については後述するが、ここでは簡単にその構成について説明する。血管１１はハーベスタ４１の先端に設けられた血管保持部であるベインキーパ４５に引掛けられるようになっている。血管１１をベインキーパ４５に引掛けるときは、ベインキーパ４５の一部を開け、開いた場所に血管１１を引掛け、引掛けた後に、その開けた一部を閉じるような機構を、ハーベスタ４１のベインキーパ４５は有している。さらに、ベインキーパ４５は、ハーベスタ４１の軸方向に可動式であり、内視鏡の先端部からベインキーパ４５を離す方向に動かすことができるので、引掛けた血管１１を、内視鏡画像において見易くすることができる。
【００２５】
また、バイポーラカッタ４３の先端部には、０．５ｍｍ幅の溝が形成されており、側枝１１Ａを切断するときは、側枝１１Ａを押し込むようにその溝に入れることによって、側枝１１Ａは圧縮された状態において切断される。さらにまた、ハーベスタ４１の先端には、ワイパーガード部によって囲まれた内側に硬性鏡の先端部の窓部に付着した付着物を拭き取るためのワイパーが設けられている。そして、円筒形状のワイパーガード部の一部には、ワイパーによって拭き取られた付着物を外に掃き出すための掃き出し孔が設けられている。その付着物としては、血液、脂肪、電気メスによる煙等がある。
【００２６】
ハーベスタ４１にも送気コネクタが設けられており、二酸化炭素のガスが、ハーベスタ４１の把持部４００に接続された送気チューブ４４から送り込まれ、挿入部４２の先端部に設けられた開口部（図示せず）から噴き出る。従って、血管１１の側枝１１Ａの切断処置がし易くなる。
【００２７】
なお、側枝１１Ａは、血管１１に複数存在するので、術者は、ハーベスタ４１の挿入部４２の先端における内視鏡画像を見ながら、ハーベスタ４１の先端部のベインキーパ４５を操作して血管１１を保持し、側枝１１Ａを一つ一つ確認しながら、バイポーラカッタ４３によって側枝１１Ａを切る。ベインキーパ４５の構造についても後で詳述する。
【００２８】
次に、足首１４に、例えば切り口の長さが１ｃｍ以下の小さな皮切を施し、その皮切部１７から血管１１の末端部を引き出して、糸をかけるか、鉗子を留置し、末端部の処置を行う（Ｓ６）。この場合、皮切部１６の近傍にあるハーベスタ４１を再度足首１４の皮下まで挿入し、術者は、内視鏡によって、皮切部１７の皮下の血管１１と鉗子を見ながら、鉗子で血管１１をつまんで、皮切部１７から血管１１を引き出す。
【００２９】
図４にその血管１１の末端部の処置を説明するための図である。血管１１の末端部の処置は、血管１１の一部を糸で結び、その結び目１１ａよりも膝１５側の位置１１ｂにおいて血管１１を切る。なお、皮切部１７における皮切は、その後、術者等は、テープ等で皮切部１７を閉じることによって行われる。
【００３０】
血管１１の末端部の処置において、術者は、内視鏡によって、皮切部１７の皮下の血管を見ながら、皮切部１７から血管１１を引き出す。
【００３１】
続いて、ハーベスタ４１を、トロッカ２１から抜き取り、皮切部１６のトロッカ２１の案内管部２２の向きを鼠径部１３の方向に変え、ハーベスタ４１を挿入して、皮切部１６から鼠径部１３までの間の血管１１の側枝の切断が行われる（Ｓ７）。Ｓ６で行ったように、術者は、内視鏡画像を見ながら、皮切部１６から鼠径部１３までの血管１１の側枝１１Ａを切断する。
【００３２】
なお、ここでも、側枝１１Ａの切断は、ハーベスタ４１を皮切部１６からまず鼠径部１３の下まで挿入して、鼠径部１３から皮切部１６に向かって、血管１１の側枝１１Ａを１本ずつ切断していく。
【００３３】
図５は、ハーベスタが、皮切部１６からトロッカ２１を介して下肢１２の皮下へ挿入された状態を示す断面図である。ハーベスタ４１の挿入部４２は、固定部２４によって皮切部１６に固定されたトロッカ２１の案内管部２２を通して、下肢１２の皮下に挿入されている。後述するように、挿入部４２の中には、内視鏡挿入部が挿入されている。ハーベスタ４１の挿入方向は、血管１１の方向に沿っているので、術者は、内視鏡画像を見ながら、血管１１の側枝１１Ａを切断する。
【００３４】
血管１１の側枝１１Ａの切断が終了すると、図４に示すように、鼠径部１３に、例えば切り口の長さが１ｃｍ以下の小さな皮切を施し、その皮切部１８から血管１１の末端部を引き出して、糸をかけるか、鉗子を留置し、末端部の処置を行う（Ｓ８）。この場合も、皮切部１６の近傍にあるハーベスタ４１を再度鼠径部１３の皮下まで挿入し、術者は、内視鏡によって、皮切部１８の皮下の血管１１と鉗子を見ながら、鉗子で血管１１をつまんで、皮切部１８から血管１１を引き出す。足首１４の皮切部１７において処置したように、血管１１の末端部の処置は、血管１１の一部を糸で結び、その結び目１１ｃよりも膝１５側の位置１１ｄにおいて血管１１を切る。なお、皮切部１８における皮切も、その後、術者等は、テープ等で皮切部１８を閉じることによって行われる。
【００３５】
そして、術者は、図６に示すように皮切部１６から、例えば６０ｃｍの血管１１を摘出する（Ｓ９）。図６は、皮切部１６から血管１１を摘出する状態を説明するための図である。血管１１の摘出が終わると、続いて、摘出された血管１１に孔が開いていると、バイパス用の血管としては利用できないので、術者は、血管１１の漏れ検査を行う（Ｓ１０）。
【００３６】
漏れ検査を行いながら、術者は、血管１１の全ての側枝１１Ａの部分に糸結びを施し、先端が切断された側枝１１Ａの先端部から血液が漏れることのないようにする。このように、全ての側枝１１Ａの部分に糸結びが施された状態において、血管１１内の弁の方向を考慮して、血管１１の一端にシリンジを付けて、生理食塩水を血管１１内に通し、生理食塩水が漏れ出す孔があるか否かによって、術者は、血管１１の漏れ検査を行う。
【００３７】
生理食塩水が漏れ出している箇所があれば、その箇所の孔を縫合する（Ｓ１１）。最後に、皮切部１６の縫合を行う（Ｓ１２）。
【００３８】
以上のように、従来の、下肢１２の鼠径部１３から足首１４まで血管１１が全て見えるように、下肢１２の所定の部位の組織を切開するという手術に比べ、上述した内視鏡を用いて血管を摘出する方法は、例えば、皮切部が３つだけであり、患者に対して低侵襲である。例えば、手術後、患者が歩行できるようになるまでの期間を短縮できる可能性がある。
【００３９】
次に、図７を用いて、生体採取手術システムを説明する。  
図７は、上述した手術に用いられる装置、器具等からなる生体採取手術システムの構成を示す構成図である。生体採取手術システム（以下、単に手術システムと略記する。）１０１は、上述したトロッカ２１、生体剥離用機器であるダイセクタ３１、生体組織切断用器具であるハーベスタ４１及び内視鏡である硬性内視鏡５１を含む。手術システム１０１は、さらに、表示装置であるテレビモニタ１０２と、カメラコントロールユニット（以下、ＣＣＵという）１０３と、テレビカメラ装置１０４と、光源装置１０５と、ライトガイドケーブル１０６と、電気メス装置１０７と、送気装置１０８とを含む。
【００４０】
硬性内視鏡５１のライトガイドコネクタ部５２には、ライトガイドケーブル１０６の一端が接続される。ライドガイドケーブル１０６の他端は、光源装置１０５に接続される。硬性内視鏡５１には、光ファイバのライトガイドが挿通されたライトガイドケーブル１０６を介して、光源装置１０５からの光が供給され、硬性内視鏡５１の先端部から、被写体への照明が行われる。硬性内視鏡５１の基端側の接眼部５３には、テレビカメラ装置１０４のテレビカメラヘッド部が接続される。テレビカメラ装置１０４は、ＣＣＵ１０３に接続され、硬性内視鏡５１によって得られた被写体の画像が、接続されたテレビモニタ１０２の画面上に表示される。
【００４１】
硬性内視鏡５１の先端挿入部５４は、ダイセクタ３１の基端側からダイセクタ３１の硬性鏡挿入チャネル３６に挿入することができる。同様に、硬性内視鏡５１の先端挿入部５４は、ハーベスタ４１の基端側からハーベスタ４１の後述する挿入部４２内に挿通する硬性鏡挿入チャネル４６に挿入することができる。
【００４２】
ダイセクタ３１の送気チューブ３４は、送気装置１０８に接続され、送気装置１０８からの所定の気体、例えば、二酸化炭素ガスの供給を受け、送気出口である開口部３５ａから放出する。
【００４３】
ハーベスタ４１の送気チューブ４４も、送気装置１０８に接続され、送気装置１０８からの所定の気体、例えば、二酸化炭素ガスの供給を受け、送気出口である開口部（図７では図示せず）から放出する。
【００４４】
また、ハーベスタ４１は、バイポーラカッタ４３用の電気的ケーブル４７を有し、その電気的ケーブル４７の基端端に設けられたコネクタによって、電気メス装置１０７に接続される。
【００４５】
このような構成を有する手術システム１０１を利用して、術者は、上述した手術を行うことができる。
【００４６】
次に、図８から図１８を用いて、本発明の生体組織切断用器具であるハーベスタについて説明する。
【００４７】
図８は、ハーベスタ４１の側面図である。ハーベスタ４１の金属製の挿入部４２の先端には、上部にはバイポーラカッタ４３が、また下部内側には保持子であるベインキーパ４５が設けられており、挿入部４２の基端に連設された把持部４００に設けられているバイポーラカッタレバー４０１及びベインキーパレバー４０２を長手軸に沿って進退させると、この進退に連動してバイポーラカッタ４３及びベインキーパ４５を挿入部４２の前方に進退させることができるようになっている。
【００４８】
図９は、ハーベスタ４１の基端側の構成を説明する部分斜視図である。ハーベスタ４１の基端側の構成は、図９に示すように硬性内視鏡５１をハーベスタ４１の基端部に容易にかつ確実に固定するために、ハーベスタ４１の基端部４００ａの内周面には、案内溝４００ｂが、ハーベスタ４１の軸方向に沿って設けられている。さらに、その案内溝４００ｂには、固定部材４００ｃがネジによって固定されている。固定部材４００ｃは、金属の板状部材をコの字形状に折り曲げられ、さらに、コの字の両端部は、コの字の内側に向かって凸状部を有するように折り曲げられている。一方、硬性内視鏡５１の接眼部５３の先端側には、図示しない凸部が設けられている。
【００４９】
さらに、基端部４００ａには、切欠き部４００ｄが設けられ、ライトガイドコネクタ部５２が、切欠き部４００ｄに沿って移動できるようになっている。
【００５０】
硬性内視鏡５１をハーベスタ４１の基端部から挿入するとき、その硬性内視鏡５１の凸部が図９に示す基端部４００ａの内周面に設けられた案内溝４００ｂに沿って、かつライトガイドコネクタ部５２が切欠き部４００ｄに沿って、入るように、ハーベスタ４１の基端部に硬性内視鏡５１を挿入する。硬性内視鏡５１をハーベスタ４１の基端部から挿入していくと、硬性内視鏡５１の凸部は、案内溝４００ｂの内側に沿って移動し、固定部材４００ｃの弾性力に抗して金属の固定部材４００ｃの凸状部を、越える。このとき、ライトガイドコネクタ部５２も、基端部４００ａに設けられた切欠き部４００ｄに沿って、移動する。
【００５１】
従って、ハーベスタ４１の基端部から硬性内視鏡５１を挿入するときは、ライトガイドコネクタ部５２を切欠き部４００ｄに入るようにし、かつ硬性内視鏡５１の凸部を案内溝４００ｂに入るように、ハーベスタ４１と硬性内視鏡５１の位置関係をセットしてから、硬性内視鏡５１をハーベスタ４１に挿入する。硬性内視鏡５１をハーベスタ４１に挿入していくと、途中で硬性内視鏡５１の凸部が、固定部材４００ｃによって挟まれるように係合して固定され、かつ固定部材４００ｃの弾性力によって容易には抜け落ちないようになる。
【００５２】
また、係合して固定される際に、係合された硬性内視鏡５１とハーベスタ４１との間で、「カチッ」という音が生じるため、使用者は、セットされたことを音で確認することができる。
【００５３】
図１０はハーベスタ４１の先端の構成を示す部分斜視図、図１１は図１０のロック軸４１４の作用を説明する図、図１２は図１０の矢印Ａから見た矢視図である。
【００５４】
図１０に示すように、ハーベスタ４１のベインキーパ４５は、略コの字形状の血管保持台４１１を長手軸方向に進退可能に保持するベインキーパ軸４１２と、ベインキーパ軸４１２に平行で略コの字形状の血管保持台４１１に血管を収納する閉空間４１３を形成する血管保持台４１１に対して長手軸方向に進退可能なロック軸４１４とから構成され、該ロック軸４１４は、図１０の状態では、ベインキーパ軸４１２と同様に血管保持台４１１にロックされた状態で空間４１３を形成するが、該ロック軸４１４のロック状態を解除することにより図１１に示すように閉空間４１３を解放し閉空間４１３内に血管１１を収納可能に進退できるようになっている。
【００５５】
バイポーラカッタ４３が設けられる挿入部４２の先端側面は切り欠き４１５が設けられ、バイポーラカッタ４３を進退させるカッタ軸（後述）が切り欠き４１５を経て挿入部４２を内挿されている。切り欠き４１５の内壁面には断面が円弧形状のガード部４１６が設けられ、また挿入部４２の先端内面には硬性内視鏡５１の先端部の窓部に付着した付着物を拭き取るためのワイパー４１７が設けられている。そして、ワイパー４１７の一端を軸としてワイパー４１７の他端がガード部４１６内側をスイープすることで、ワイパーガード部が形成されている。そして、円筒形状のワイパーガード部の一部には、ワイパー４１７によって拭き取られた付着物４１８（図１２参照）を外に掃き出すための掃き出し孔４１９ａが設けられている。その付着物４１８としては、血液、脂肪、電気メスによる煙等がある。
【００５６】
なお、ワイパー４１７は、ワイパー軸（図示せず：図１６参照）を介してワイパーレバー４１９（図８参照）によりスイープする。
【００５７】
図１０の矢印Ａから見た矢視図である図１２に示すように、挿入部４２の先端面より所定の内側に硬性内視鏡５１が挿通する硬性鏡挿入チャネル４２０の開口部と送気を行う送気チャネル４２１の開口部が隣接して設けられている。
【００５８】
図１３はハーベスタ４１の作動構成を示す長軸方向の断面図であり、図１４は図１３の矢印Ａから見たベインキーパレバー４０２の取り付け概念図である。
【００５９】
図１３に示すように、ハーベスタ４１の軸方向に沿って、硬性鏡挿入チャネル４２０を形成する金属の管部材４２０ａが、把持部４００の基端側から挿入部４２の先端部までハーベスタ４１の内部に挿通されている。バイポーラカッタ４３は、把持部４００に設けられているバイポーラカッタレバー４０１と挿入部４２を挿通するバイポーラ軸４５０により連結されており、バイポーラカッタレバー４０１を長手軸に沿って進退させると、この進退力がバイポーラ軸４５０を介してバイポーラカッタ４３に伝達され、バイポーラカッタ４３を挿入部４２の前方に進退させることができるようになっている。
【００６０】
同様に、ベインキーパ４５は、把持部４００に設けられているベインキーパレバー４０２と挿入部４２を挿通するベインキーパ軸４１２により連結されており、ベインキーパレバー４０２を長手軸に沿って進退させると、この進退力がベインキーパ軸４１２を介してベインキーパ４５に伝達され、ベインキーパ４５を挿入部４２の前方に進退させることができるようになっている。
【００６１】
ベインキーパレバー４０２とベインキーパ軸４１２は、把持部４００の内面をピン押圧するクリック機構４５１により把持部４００の内面を一体的に移動可能であって、クリック機構４５１が把持部４００の内面に設けられた例えば３つのクリック溝４５２のいずれかに位置すると、その位置にベインキーパレバー４０２及びベインキーパ軸４１２を安定して保持することができ、また、長手軸に力を作用させることで、容易にクリック機構４５１をクリック溝４５２から脱出させることができるようになっている。
【００６２】
ベインキーパレバー４０２はロックレバー４５３と着脱自在に連結されており、ロックボタン４５４を押下することで、ベインキーパレバー４０２はロックレバー４５３とを分離することができるようになっている。このロックレバー４５３は、ロック軸４１４と連結されており、ベインキーパレバー４０２と分離された状態でロックレバー４５３を進退させることで、閉空間４１３内に血管１１を収納可能に進退できるようになっている（１０及び図１１参照）。
【００６３】
なお、図１４に示すように、ベインキーパレバー４０２はネジ４６０と接着によりベインキーパ軸４１２に強固に固定されている。
【００６４】
図１５はハーベスタ４１の送気構成を示す長軸方向の断面図であり、図１６は図１５のＡ−Ａ線断面を示す断面図である。
【００６５】
図１５に示すように、ハーベスタ４１の軸方向に沿って、送気チャネル４２１を形成する金属の送気パイプ４６１が、把持部４００の基端側から挿入部４２の先端部までハーベスタ４１の内部に挿通されている。把持部４００の基端側の送気パイプ４６１の一端には把持部４００内において送気チューブ４４が嵌入され、送気チューブ４４の基端には、送気コネクタ４４ａが設けられており、送気コネクタ４４ａは、送気装置１０８に接続されたチューブのコネクタに接続される。
【００６６】
上述したように、本実施形態では、図１７に示すように、ベインキーパレバー４０２を進退させることで、ベインキーパ４５を先端において進退させることができるため、例えば、側枝１１Ａの切断時の内視鏡画象が図１８に示すような画像で側枝１１Ａの状態が確認しにくい場合は、図１９にようにベインキーパレバー４０２を長手軸方向に前進させることで、ベインキーパ４５も先端より前進し、図１９に示すように側枝１１Ａの状態の確認に適した内視鏡画象を視認することができる。
【００６７】
次に、図２０から図２４に基づいて、ハーベスタ４１の内部に挿通されているバイポーラカッタ４３について説明する。  
図２０は、バイポーラカッタ４３の先端部分の分解斜視図、図２１はバイポーラカッタ４３を上面から見た上面図、図２２は、バイポーラカッタ４３を下面から見た下面図、図２３は図２１のＡ−Ａ線断面を示すバイポーラカッタ４３の断面図、図２４は図２１のＢ−Ｂ線断面を示すバイポーラカッタ４３の断面図、図２５は組織挟持部４２３を下面から見た図、図２６は図２５のＣ−Ｃ線断面を示す組織挟持部４２３の断面図、図２７は図２５のＤ−Ｄ線断面を示す組織挟持部４２３の断面図である。
【００６８】
図２０から図２５に示すように、バイポーラカッタ４３は、例えばポリカーボネイトなどの透明な絶縁部材である合成樹脂からなるカッタ本体４２２と、先端部の略中央に配設される耐熱部材であるセラミックスからなる組織挟持部４２３と、バイポーラの一方となる第１の電極である印加電極４２５と、バイポーラの他方となる第２の電極である帰還電極４２４と、２本のリード線４２８（印加側リード線４２８ａ，帰還側リード線４２８ｂ）と、リード線カバー４２６とを有して構成されている。
【００６９】
カッタ本体４２２は、長手方向の軸から見たときに、ハーベスタ４１の切り欠き４１５（図１０参照）の円弧状の内周面に沿うように横断面が円弧状に湾曲した形状（図２４参照）をしている。また、カッタ本体４２２は、先端に形成されるＶ字溝４３６と、後述する組織挟持部４２３が嵌入される溝である嵌入部４３５と、印加側リード線４２８ａ及び帰還側リード線４２８ｂが夫々絶縁状態に配置され、リード線カバー４３１が嵌着される溝部４２２ｊと、帰還電極４２４が配置される凹部４２２ｌとを有している。なお、溝部４２２ｊの底面には、印加側リード線４２８ａ及び帰還側リード線４２８ｂの絶縁を保つため全長に渡って、さらに、２本の長溝が形成されている。
【００７０】
嵌入部４３５は、カッタ本体４２２の先端のＶ字溝４３６からスリット状に形成される第１の溝部４３５ａと、基端側が上方向から見たときに、略円形状に形成された第２の溝部４３５ｂを有して構成されている。
【００７１】
また、カッタ本体４２２は、嵌入部４３５が形成される内周側に内向フランジとなる段部４２２ａ（図２１及び図２４参照）が形成されており、組織挟持部４２３の基端部に対応する位置に勘合用凹部４２２ｂ（図２０及び図２３参照）が形成されている。
【００７２】
溝部４２２ｊの印加側リード線が配接される溝には、その先端側に印加電極４２５のリード線接続部４２５ａが挿通される貫通部４２２ｅ（図２１及び図２２参照）が形成されている。従って、カッタ本体４２２の下面側に配設される印加電極４２５は、リード線接続部４２５ａが貫通部４２２ｅに挿通され、そのリード線接続部４２５ａの端部と溝部４２２ｊの上面に配置される印加側リード線４２８ａとが電気的に接続可能となる。
【００７３】
また、カッタ本体４２２は、その上面及び下面に、ここでは、合計３つの留部４２２ｃを有し、そのうちの２つの留部４２２ｃが凹部４２２ｌの先端側において上方に突起し、残り１つの留部４２２ｃが下方へ突起している。これらの留部４２２ｃが印加電極４２５及び帰還電極４２４に穿設される孔部４２５ｂ、４２４ａに挿通され、熱カシメにより融解された後、外向フランジ状（図２３及び図２４参照）に凝固形成されることによって、帰還電極４２４及び印加電極４２５は、カッタ本体４２２の上下面において夫々固着される。
【００７４】
帰還電極４２４は、カッタ本体４２２の凹部４２２ｌの上面に沿って、長手軸方向から見たときの横断面が湾曲形状の金属板である。この帰還電極４２４は、カッタ本体４２２と組織挟持部４２３の上面における境目、つまり、夫々の境界線に略沿うように上方から見たときに前方後円形状に切り欠き形成された切り欠き部と、先端側に前述の２つの孔部４２４ａとを有している。また、帰還電極４２４は、基端部分に帰還側リード線と溶着により電気的に接続されるリード線接続部４２４ｂと、このリード線接続部４２４ｂと並設され、カッタ本体４２２の溝部４２２ｊに嵌入保持される突起部４２４ｃとを有している。
【００７５】
リード線接続部４２４ｂ及び突起部４２４ｃは、夫々、下方に略直角に折り曲げられ、さらに、基端側へ延出するように略直角に折り曲げられている。リード線接続部４２４ｂは、その基端側への延出長が突起部４２４ｃの延出長よりも長く、帰還側リード線と十分な溶着接続ができる長さを有している。
【００７６】
なお、突起部４２４ｃは、その基端側への延出長がカッタ本体４２２の凹部４２２ｌの基端から溝部４２２ｊの貫通部４２２ｅまでの長さよりも短い長さを有している。これにより、突起部４２４ｃと印加電極４２５のリード線接続部４２５ａ及び印加側リード線４２８ａが接触することなく絶縁が保たれるため、帰還電極４２４と印加電極４２５との絶縁も保たれる。
【００７７】
印加電極４２５は、カッタ本体４２２と組織挟持部４２３の下面側に配置され、前述した孔部４２５ｂを有する略四角形の金属板である。この印加電極４２５からは、前述したように、印加側リード線４２８ａと溶着により電気的に接続されるリード線接続部４２５ａが基端側へ延出している。  
このリード線接続部４２５ａは、延出方向の端部分が上方に略直角に折り曲げられており、さらに、その端部が延出方向側へ略直角に折り曲げられている。
【００７８】
印加側リード線４２８ａ及び帰還側リード線４２８ｂは、カッタ本体４２２の溝部４２２ｊの底面に形成された２つの長溝に夫々、絶縁状態となるように平行して配設され、外部の電気メス装置１０７（図７参照）と電気的に接続される。
【００７９】
組織挟持部４２３は、図２５から図２７に示すように、基端部分が略円柱形状をしている円柱形状部４２３Ａと、その円柱形状部４２３Ａの側周面から延びる略四角柱形状であって、スリット溝４２７が形成された四角柱形状部４２３Ｂとを有する、いわゆる前方後円墳形状をしている。なお、図２４の組織挟持部４２３は、カッタ本体４２２に嵌入された時に下面側となる面を示している。
【００８０】
この組織挟持部４２３は、図２４に示すように、長手軸方向に沿って長く延び、四角柱形状部４２３Ｂの両側面から夫々外側へ突起する２つの腕部４２３ａと、円柱形状部４２３Ａの基端部分の側周面から基端側に向けて突起する凸部４２３ｂを有している。
【００８１】
この組織挟持部４２３は、カッタ本体４２２の嵌入部４３５に嵌入され、２つの腕部４２３ａが第１の溝部４３５ａの段部４２２ａに保持され、凸部４２３ｂがカッタ本体４２２の勘合用凹部４２２ｂに嵌入し保持されることによって、カッタ本体４２２に嵌着される。
【００８２】
また、組織挟持部４２３は、円柱形状部４２３Ａに略円周形状の溝部４４０が形成されている。この溝部４４０は、図２２に示すように、スリット溝４２７の基端部分を覆う印加電極４２５の略先端部分から所定の距離だけ離され、円を描くように印加電極４２５の先端部分を囲み、例えば０．５ｍｍ程度の幅及び深さ１〜２ｍｍ程度に形成される有底溝である。なお、この溝部４４０は、略円周形状に限ることなく、スリット溝４２７の基端部分を覆う印加電極４２５の先端部分から所定に離れていれば、いかなる形状、例えば、四角形、三角形などの多角形を描く溝であっても良い。さらに、溝部４４０の幅寸法及び深さ寸法は、組織挟持部４２３が所定の強度が保てるように設定される。
【００８３】
また、スリット溝４２７は、四角柱形状部４２３Ｂの先端側中央部から円柱形状部４２３Ａの略中央部にかけて、組織挟持部４２３の長手軸方向において、例えば０．５ｍｍ幅に溝切りされている。  
なお、この組織挟持部４２３は、高耐熱性のセラミックス構造材である、例えばジルコニア、アルミナなどの材料によって形成されている。  
また、組織挟持部４２３の下面には、印加電極４２５の先端部分を位置決めするため、基端側に向けて切り欠かれた段部４３０が形成されている。
【００８４】
以上のように構成されたハーベスタ４１のバイポーラカッタ４３による側枝１１Ａの切断について図１及び、図２８から図３０を用いて説明する。  
図２８及び図２９は、バイポーラカッタ４３による側枝１１Ａの切断を説明するための図、図３０は側枝１１Ａを切断時の組織挟持部４２３を下面から見た図である。
【００８５】
図１のフローチャート図に基づいて説明した、ダイセクタ３１を用いて血管１１の全長にわたって周辺の組織の剥離（Ｓ４）が行われた後、ダイセクタ３１がトロッカ２１から抜き取られ、トロッカ２１がそのままにされ、ハーベスタ４１が挿入されて、皮切部１６から足首１４までの間の血管１１の側枝１１Ａの切断が行われる（Ｓ５）。
【００８６】
このとき、術者は、内視鏡画像を確認しながら、カッタ本体４２２のＶ字溝４２６に側枝１１Ａが入り込むようにハーベスタ４１のバイポーラカッタレバー４０１をバイポーラカッタ４３が前進する方向へスライド操作する。そして、側枝１１Ａは、Ｖ字溝４２６によって組織挟持部４２３のスリット溝４２７へと案内される。
【００８７】
術者は、側枝１１Ａがスリット溝４２７内に入りこみ、図２８に示すように、側枝１１Ａが印加電極４２５に接触したことを内視鏡画像により確認して、電気メス装置１０７から高周波電流を流す。このとき、印加電極４２５から放電される高周波電流は、側枝１１Ａを介して帰還電極４２４へ放電される。
【００８８】
組織挟持部４２３のスリット溝４２７内の側枝１１Ａは、印加電極４２５からの放電により。印加電極４２５と接触している部分に熱量が発生し、図２９に示すように凝固して切断される。
【００８９】
ここで、図３０に基づいて、印加電極４２５からの高周波電流を受けた側枝１１Ａに発生した熱量が組織挟持部４２３に伝播される熱の流れについて説明する。
【００９０】
なお、以下の説明において、組織挟持部４２３の内周側の溝部４４０の側面を壁面４４０ａとし、外周側の側面を壁面４４０ｂとし、印加電極４２５と側枝１１Ａが接触する部分を熱量発生部４５０として示す。
【００９１】
上述のように、側枝１１Ａに発生した熱量は、組織挟持部４２３に放射状に伝わり、溝部４４０まで熱伝播される。この溝部４４０まで熱伝播される熱量は、組織挟持部４２３及び溝部４４０の熱伝導率λに依存する。
【００９２】
熱量発生部４５０から壁面４４０ａまでの組織挟持部４２３の熱流束ｑａは、次の式（１）により算出することができる。
【００９３】
ｑａ＝λａ（ｔｈ−ｔｗｈ）／δ１・・・（１）  
ｑａ：熱流束  
λａ：組織挟持部４２３の熱伝導率  
ｔｈ：組織挟持部４２３（スリット溝４２７）と側枝１１Ａの境界面の温度  
ｔｗｈ：壁面４４０ａと空気の境界面の温度  
δ１：側枝１１Ａと接触するスリット溝４２７から壁面４４０ａまでの距離  
一方、組織挟持部４２３の壁面４４０ａ，４４０ｂ間の溝部４４０の熱流束ｑｂは、
次の式（２）により算出することができる。
【００９４】
ｑｂ＝λａｉｒ（ｔｗｈ−ｔｃ）／δ２・・・（２）  
λａｉｒ：空気の熱伝導率  
ｔｃ：壁面４４０ｂと空気の境界面の温度  
δ１：壁面４４０ａから壁面４４０ｂまでの距離  
以上の式（１）及び式（２）からも分かるように、積値となる熱伝導率λの値により、熱流束ｑの値が依存する。すなわち、セラミックスから形成される組織挟持部４２３の熱伝導率λａに比べて空気の熱伝導率λａｉｒは、きわめて小さい値である。そのため、溝部４４０における熱流束ｑｂは、積値である空気の熱伝導率λａｉｒの値に依存し、組織挟持部４２３の熱流束ｑａに比べて、きわめて小さい値となる。
【００９５】
上述の結果、組織挟持部４２３は、印加電極４２５から熱量を受ける側枝１１Ａを挟持している熱量発生部４５０（スリット溝４２７の一部分）から溝部４４０までの部分において、消費熱量が多くなる。換言すると、組織挟持部４２３は、溝部４４０により、急激な熱伝播が抑制され、熱量発生部４５０から溝部４４０までの部分のみが高温となる。従って、側枝１１Ａは、消費熱量が多くなるため、その止血性が向上される。
【００９６】
また、上述の効果に加え、組織挟持部４２３は、溝部４４０を設けられたことにより、溝部４４０から外周側の部分への熱伝播がされ難くなる。その結果、組織挟持部４２３の溝部４４０から外周側の部分は、急激な温度上昇が抑制される。これにより、組織挟持部４２３が嵌入されるカッタ本体４２２の温度上昇も抑えることができ、使用温度の低い合成樹脂によりカッタ本体４２２を形成しても、熱耐久性を確保することができる。
【００９７】
その結果、バイポーラカッタ４３のカッタ本体４２２は、ポリカーボネイトなどの合成樹脂が使われ、全体がセラミックスによって形成される場合に比べて、加工性が良く安価となる。
【００９８】
また、溝部４４０は、印加電極４２５が配設される組織挟持部４２３の面（本実施形態では下面）から溝切り形成されている。そのため、側枝１１Ａと接触する印加電極４２５付近に集中する熱量は、組織挟持部４２３への熱伝播が溝部４４０に抑制される。従って、組織挟持部４２３が消費する熱量により印加電極４２５の近傍が最も高温となり、上述したように、側枝１１Ａを止血切断するための必要な熱量が確保される。
【００９９】
以上の結果、本実施形態における切断手段であるハーベスタ４１のバイポーラカッタ４３は、熱耐久性に優れ、生体組織である採取血管１１の側枝１１Ａを確実に止血しながら切断することができる。
【０１００】
なお、上述したように、耐電圧のための沿面距離を保つため、スリット溝４２７の基端側に位置する印加電極４２５の先端部分、すなわち熱量発生部４５０から帰還電極４２４までの距離が略等しくなるように、帰還電極４２４の中央部は、スリット溝４２７の基端部分を略中心とした略円形状に切り欠き形成されている。
【０１０１】
従って、帰還電極４２４の略円形状に対応する組織挟持部４２３の帰還電極４２４側の表面を略円形状、すなわち、組織挟持部４２３の円柱形状部４２３Ａの表面形状に合わせることにより、印加電極４２５で発生する熱が組織挟持部４２３へ略均等に伝わる。
【０１０２】
その結果、カッタ本体４２２と帰還電極４２４、印加電極４２５との接合面となる組織挟持部４２３の上面側においては、局部的に高温になる部分を抑えることができる。すなわち、熱量発生部４５０において発生する熱が組織挟持部４２３の上面において、均一に拡がるため、カッタ本体４２２及び組織挟持部４２３の高熱化を防止することができる。
【０１０３】
また、上述したように、生体組織である側枝１１Ａを止血切断するため、印加電極４２５から帰還電極４２４へ放電される高周波電流によって発生する熱量は、溝部４４０が形成された組織挟持部４２３により印加電極４２５付近の組織挟持部４２３に集中する。しかし、印加電極４２５と帰還電極４２４の間に高耐熱性のセラミックスによって形成される組織挟持部４２３を使うことにより、本実施形態のバイポーラカッタ４３は、熱耐久性に優れた構成とすることができる。
【０１０４】
なお、本実施形態においては、カッタ本体４２２の先端中央部分に溝部４４０が形成されたセラミックスからなる組織挟持部４２３を設けたが、帰還電極４２４と印加電極４２５の間におけるカッタ本体４２２の全ての先端部分が溝部４４０を有するセラミックス部材により構成されていても良い。
【０１０５】
さらに、空気の熱伝導率λａｉｒは、雰囲気温度により、その値が影響される。しかし、側枝１１Ａに対する消費熱量が多くなるため、印加電極４２５から帰還電極４２４への高周波電流の放電時間を短くすることができる。
【０１０６】
本発明は、以上述べた実施形態のみに限定されるものではなく、発明の要旨を逸脱しない範囲で種々変形実施可能である。
【図面の簡単な説明】
【０１０７】
【図１】皮下血管を牽引して採取する手術方法を説明するためのフローチャートである。
【図２】皮下血管を牽引して採取する手術方法を説明するための図である。
【図３】ダイセクタが、鼠径部方向に皮切部からトロッカを介して下肢の皮下へ挿入された状態を示す断面図である。
【図４】皮下血管を牽引して採取する手術方法を説明するための図である。
【図５】ハーベスタが、皮切部からトロッカを介して下肢の皮下へ挿入された状態を示す断面図である。
【図６】皮下血管を牽引して採取する手術方法を説明するための図である。
【図７】皮下血管を牽引して採取する手術に用いられる装置、器具等からなる生体採取手術システムの構成を示す構成図である。
【図８】ハーベスタの側面図である。
【図９】ハーベスタの基端側の構成を説明する部分斜視図である。
【図１０】ハーベスタの先端の構成を示す部分斜視図である。
【図１１】図１０のロック軸の作用を説明する図である。
【図１２】図１０の矢印Ａから見た矢視図である。
【図１３】ハーベスタの作動構成を示す長軸方向の断面図である。
【図１４】図１３の矢印Ａから見たベインキーパレバーの取り付け概念図である。
【図１５】ハーベスタの送気構成を示す長軸方向の断面図である。
【図１６】図１５のＡ−Ａ線断面を示す断面図である。
【図１７】ベインキーパレバーとベインキーパの進退を説明するための図である。
【図１８】側枝の切断時の内視鏡画象である。
【図１９】側枝の切断時の内視鏡画象である。
【図２０】バイポーラカッタの先端部分の分解斜視図である。
【図２１】バイポーラカッタを上面から見た上面図である。
【図２２】バイポーラカッタを下面から見た下面図である。
【図２３】図２１のバイポーラカッタのＡ−Ａ線断面を示すバイポーラカッタの断面図である。
【図２４】図２１のバイポーラカッタのＢ−Ｂ線断面を示すバイポーラカッタの断面図である。
【図２５】組織挟持部を下面から見た図である。
【図２６】図２５のＣ−Ｃ線断面を示す組織挟持部の断面図である。
【図２７】図２５のＤ−Ｄ線断面を示す組織挟持部の断面図である。
【図２８】バイポーラカッタによる側枝の切断を説明するための図である。
【図２９】バイポーラカッタによる側枝の切断を説明するための図である。
【図３０】側枝を切断時の組織挟持部を下面から見た図である。
【符号の説明】
【０１０８】
１１・・・採取対象血管  
１１Ａ・・・側枝  
４１・・・ハーベスタ  
４３・・・バイポーラカッタ  
４２２・・・カッタ本体  
４２３・・・組織挟持部  
４２４・・・帰還電極  
４２５・・・印加電極  
４２７・・・スリット溝  
４４０・・・溝部  
代理人    弁理士    伊藤  進      
【図１】
2006087610.tif 000003
【図２】
2006087610.tif 000004
【図３】
2006087610.tif 000005
【図４】
2006087610.tif 000006
【図５】
2006087610.tif 000007
【図６】
2006087610.tif 000008
【図７】
2006087610.tif 000009
【図８】
2006087610.tif 000010
【図９】
2006087610.tif 000011
【図１０】
2006087610.tif 000012
【図１１】
2006087610.tif 000013
【図１２】
2006087610.tif 000014
【図１３】
2006087610.tif 000015
【図１４】
2006087610.tif 000016
【図１５】
2006087610.tif 000017
【図１６】
2006087610.tif 000018
【図１７】
2006087610.tif 000019
【図１８】
2006087610.tif 000020
【図１９】
2006087610.tif 000021
【図２０】
2006087610.tif 000022
【図２１】
2006087610.tif 000023
【図２２】
2006087610.tif 000024
【図２３】
2006087610.tif 000025
【図２４】
2006087610.tif 000026
【図２５】
2006087610.tif 000027
【図２６】
2006087610.tif 000028
【図２７】
2006087610.tif 000029
【図２８】
2006087610.tif 000030
【図２９】
2006087610.tif 000031
【図３０】
2006087610.tif 000032